(57)【要約】【課題】連帳用紙を切り離して単票給紙口から給紙して印刷する場合に左端の余白量の自動調整を行う。【解決手段】単票吸入口から給紙された用紙に対して、連帳用紙に設けられるスプロケット穴を検出するように用紙検出センサを制御し（Ｓ２０）、スプロケット穴を検出しない場合は、印字開始位置を単票用の値とし（Ｓ４０）、スプロケット穴を検出した場合には、印字開始位置を連帳用の値として（Ｓ５０）、印字キャリアの印字開始位置を所定量だけ右方にずらす。【選択図】      図１
2005041060.tif 000002
【特許請求の範囲】
【請求項１】
単票用紙を給紙する単票給紙部と、
前記単票給紙部から給紙される媒体のスプロケット穴を検出するスプロケット穴検出部とを有し、
前記スプロケット穴検出部により前記媒体にスプロケット穴を検出した場合には、印字開始位置を所定量だけ移動させることを特徴とするプリンタ装置。
【請求項２】
前記スプロケット穴検出部は、媒体面端部を給紙方向に走査することを特徴とする請求項１に記載のプリンタ装置。
【請求項３】
前記スプロケット穴検出部は、光センサを有することを特徴とする請求項１又は２に記載のプリンタ装置。
【請求項４】
単票用紙を給紙する単票給紙部と、
前記単票用紙を検出する用紙検出部とを有し、
前記用紙検出部により、前記単票給紙部から給紙された媒体端部に当該媒体が存在しない部分を検出した場合は、印字開始位置を所定量だけ移動させることを特徴とするプリンタ装置。
【請求項５】
前記用紙検出部は、媒体面端部を給紙方向に走査することを特徴とする請求項３に記載のプリンタ装置。
【請求項６】
前記用紙検出部は、光センサを有することを特徴とする請求項３又は４に記載のプリンタ装置。
【発明の詳細な説明】
【０００１】
【発明の属する技術分野】
本発明は、プリンタ装置に関し、特に余白位置を自動的に制御するプリンタに関する。
【０００２】
【従来の技術】
プリンタ装置は通常、用紙に対して印字ヘッドを搭載した印字キャリアを往復移動させながら印刷する構成を採用している。帳票を印刷媒体とするプリンタ装置においては、連続帳票用紙（以下、「連帳用紙」という。）や単票用紙などの各種用紙に対して印刷可能になっている。連帳用紙は、通常用紙両側にスプロケット穴を備える連続用紙であって、１ページごとにミシン目等が設けられ、切り離し可能となっている。例えば、宅配伝票などでは約２０ｃｍの幅をもつ連帳用紙が用いられている。単票用紙は、一枚一枚カットされた用紙で、カセットで連続して供給されたり、手差しで供給されたりする。
【０００３】
従来から、単票用紙へ印字する場合、印字キャリアに搭載された用紙検出センサ（通常光を用紙に投射してその反射光を検出する）を左右に移動させ、給紙された用紙の左端位置を検出する事が行われており、検出した用紙の左端位置を基準として印字開始位置を制御することにより、用紙のセット位置に拘らず左端余白量が一定となるようにされている（特許文献１）。
【０００４】
【特許文献１】
特開平４−５０６８号公報
【０００５】
【発明が解決しようとする課題】
連帳用紙は、通常トラクタにセットされ、スプロケット穴によって紙送りがなされて連続的に印字が行われるものである。しかし、場合によっては連帳用紙をページ単位で切り離して、単票給紙口から給紙させて使用することがある。このとき、左端余白は単票用紙と同じ左端余白量となり、印字領域以外の場所に印字してしまう場合があった。
【０００６】
これは、連帳用紙には、紙送りのためのスプロケット穴が用紙の左右にあるため、連帳用紙の左端印字禁止領域は、単票用紙の左端印字禁止領域に比較してスプロケットの穴の領域分だけ広くなるからである。
【０００７】
そのため、連帳用紙をページ単位で切り離して単票給紙口から給紙させて使用する場合は、連帳用紙の左端印字禁止領域に合わせて、文書作成ソフトの印刷用アプリケーションや伝票印刷用アプリケーション等で左端余白を調整あるいは設定する必要があり、操作が面倒であった。
【０００８】
本発明は、このような問題に鑑み、連帳用紙を切り離して単票給紙口から印刷する際に余白の調整あるいは設定を行うことなく使用できるプリンタ装置を提供することを目的とする。
【０００９】
【課題を解決するための手段】
本発明は、前記目的を達成するために、プリンタ装置において、単票給紙部から給紙される媒体のスプロケット穴を検出するスプロケット穴検出部を設け、スプロケット穴を検出した場合には、印字開始位置を所定量だけ移動させるようにした。
【００１０】
また、本発明は、プリンタ装置において、単票用紙を検出する用紙検出部を用いて、単票給紙部から給紙された媒体端部に当該媒体が存在しない部分を検出した場合は、印字開始位置を所定量だけ移動させるようにした。
【００１１】
スプロケット穴検出部及び用紙検出部は、媒体面端部を給紙方向に走査するもの、あるいは光センサを備えるものであってよい。
【００１２】
本発明は、このような構成を採用したことにより、連帳用紙を切り離して単票給紙部から給紙する場合に、特に左端余白を調整あるいは設定する必要はない。また、スプロケット穴検出部を備えるものにあっては、専用のスプロケット穴検出部を用いることもでき、用紙検出部を備えるものにあっては、スプロケット穴を有する連帳用紙に対してだけでなく、ファイル用の穴等が存在する用紙に対しても左端余白を調整する必要がないという作用効果を有する。
【００１３】
【発明の実施の形態】
以下、図１及び図２を参照して、本発明の実施の形態を説明する。
【００１４】
図１は、本発明の一実施形態の用紙吸入動作を示す。
【００１５】
ステップＳ１０では、プリンタ装置の単票用紙吸入口から印字すべき用紙を吸入させる。これは、通常の単票用紙でも、連帳用紙を切り離したものでもよい。プリンタ装置は、給紙されると印字キャリアを走査方向に動かすことにより、印字キャリアに搭載された用紙検出センサで給紙された用紙の左端位置を検出する。
【００１６】
次にステップＳ２０で、印字キャリアに搭載された用紙検出センサの位置が検出した用紙左端位置から約６ｍｍ右側になるように、印字キャリアを移動させる。この状態で給紙されている用紙を１インチ（２．５４ｃｍ）程度改行させ、その間印字キャリアに搭載された用紙検出センサを動作させる。スプロケット穴があれば、その部分には用紙はないからセンサ信号が変化しスプロケット穴が検出される。通常の単票用紙であれば、センサに変化はなくスプロケット穴は検出されない。スプロケット穴の検出動作が終了すれば、その後逆改行させ、用紙を吸入位置まで戻す。
【００１７】
図２に、切り離された連帳用紙のスプロケット穴をセンサで検出する概念図を示した。
【００１８】
スプロケット穴３及びミシン目４をもつ、切り離された連帳用紙１に対して、印字キャリア（図示せず）に搭載された用紙検出センサ２が相対的に移動する。用紙検出センサ２の発光部２１からの検出光が用紙１に対して放射され、その反射光をセンサ２の受光部２２で受ける。スプロケット穴３からの反射光を受光することにより反射光の強度が変化し、スプロケット穴が検出される。
【００１９】
図１に戻り、ステップＳ２０におけるスプロケット検出動作の結果、ステップＳ３０で、スプロケット穴が検出されたかどうかを判断して、スプロケット穴がなければステップＳ４０に進み、スプロケット穴があればステップＳ５０に進む。
【００２０】
ステップＳ４０では、スプロケット穴が検出されなかったことから通常の単票用紙と判断して、左端印字禁止領域を予め定められた単票用の値例えば５ｍｍとして、印字第１カラムの開始位置を定める。
【００２１】
ステップＳ５０では、スプロケット穴が検出されたことから、当該用紙は連帳用紙を切り離したものと判断して、左端印字禁止領域を予め定められた連帳用の値例えば１５ｍｍ（スプロケット穴及びミシン目等を除外するための大きさ）として、印字第１カラムの開始位置を定める。
【００２２】
このようにすると、連帳用紙を切り離したもので用紙左端にスプロケット穴があるものでも、単票用紙として給紙する場合に、アプリケ−ション側で左端余白を調整あるいは設定する必要はない。右余白については、左端印字禁止領域と対応させて予め定めておいても、印字文字数を規定しておいても、所望の値とすることができる。
【００２３】
本例では、用紙検出センサは印字キャリアに搭載されたものとして説明したが、用紙検出センサは、印字キャリア以外のものに搭載されて移動するものでも、用紙すなわち媒体幅方向にある程度広い検出範囲を有する位置固定式のものであってもよい。また、スプロケット穴の検出に用紙検出センサを用いたが、他のスプロケット穴検出機構を用いてもよく、光センサでなく機械的・電気的なセンサを用いてもよい。さらに、左端部のスプロケット穴を検出するようにしたが、用紙の右端を基準位置とするような場合には、当然右端部のスプロット穴を検出して右余白を制御することになる。なお、本発明は、用紙のスプロケット穴に対してだけでなく、左端にファイリングのための穴その他きり欠きがある単票に印刷する場合にも適用できる。
【図面の簡単な説明】
【図１】本発明の一実施形態の動作フローを示す図である。
【図２】本発明のスプロケット穴検出動作を説明する概略図である。
【符号の説明】
１…切り離された連帳用紙
２…用紙検出センサ
２１…発光部
２２…受光部
３…スプロケット穴
４…ミシン目
【図１】
2005041060.tif 000003
【図２】
2005041060.tif 000004